(57)【要約】      （修正有）【課題】ナビゲーションの動作中に、特定の位置に対応する広告を提供する。【解決手段】ナビゲーション動作中に、広告主の広告を実時間で伝達されて使用者を対象として位置基盤の広告を実時間で提供する広告提供システムにおいて、当該システムは、広告主から位置基盤の広告を提供されて有無線ネットワーク環境でナビゲーション使用者に伝送し、地図上の使用者位置が広告主が登録した位置に対応すれば、該当する広告を使用者に実時間で案内するものであって、広告主から広告登録を申請されて広告情報を貯蔵し、ナビゲーション端末へ伝送する広告提供サーバー及び広告提供サーバーから伝送された広告情報を貯蔵し、画面上に表示される現在位置と広告地域を実時間で比較して、対応する場合に該当する広告を案内するナビゲーション端末を含んで有無線ネットワークを用いたサーバークライアント環境で構築される。【選択図】図３
2008276726.tif 000002
【特許請求の範囲】
【請求項１】
広告主から位置基盤の広告を提供されて有無線ネットワーク環境でナビゲーション使用者に伝送し、地図上の使用者位置が広告主が登録した位置に対応すれば、上記位置の該当する広告を使用者に実時間で案内する広告提供システムにおいて、
広告主から広告登録を申請されて広告情報を貯蔵し、上記広告情報をナビゲーション端末へ伝送する広告提供サーバー；及び
上記広告提供サーバーから伝送された広告情報を貯蔵し、画面上に表示される現在位置と広告地域を実時間で比較して、対応する場合に該当する広告を案内するナビゲーション端末；
を含んで有無線ネットワークを用いたサーバークライアント環境で構築されることを特徴とする広告提供システム。
【請求項２】
上記広告提供システムは、
広告地域及び広告期間を含む広告情報を伝送されＤＢに貯蔵する手段；及び貯蔵された上記広告をナビゲーション端末使用者を対象として伝送する手段を含む広告提供サーバーと、
上記ナビゲーション端末が伝送された上記広告を貯蔵する手段；使用者位置が広告主の上記広告地域内に位置するかを比較する手段；上記広告地域内に位置する場合、対応する広告を照会する手段；及び照会された広告を使用者に案内する手段を含むナビゲーション端末と、
から構成されることを特徴とする請求項１に記載の広告提供システム。
【請求項３】
広告主が登録した広告は、広告提供サーバーからインターネット、ＤＭＢ、移動通信網を含む有無線ネットワークを通じてナビゲーション端末に伝送されることを特徴とする請求項１または請求項２に記載の広告提供システム。
【請求項４】
上記広告提供システムは、
上記広告がＤＭＢ通信を通じて伝送される場合、同一のデータが周期的に繰り返して伝送されることを特徴とする請求項３に記載の広告提供システム。
【請求項５】
上記ナビゲーション端末の使用者位置は、出発地検索、目的地検索、経路検索、実時間経路案内、地図移動を含むナビゲーション動作中に地図上に表示される現在位置であることを特徴とする請求項１または請求項２に記載の広告提供システム。
【請求項６】
ナビゲーション端末で案内される広告は、画面表示方式及び音声再生方式のうち少なくとも何れか一つ以上の方式を通じて使用者に案内されることを特徴とする請求項１または請求項２に記載の広告提供システム。
【請求項７】
有無線ネットワーク環境で広告主から位置基盤の広告を提供されてナビゲーション使用者に伝送し、地図上の使用者位置が広告主が登録した位置に対応すれば、上記位置の該当する広告を使用者に実時間で案内する広告提供方法において、
（Ｓ１０）広告提供サーバーが広告主から広告地域及び広告期間を含む広告情報を伝送されＤＢに貯蔵する段階；
（Ｓ２０）上記広告提供サーバーが貯蔵された上記広告を使用者のナビゲーション端末へ伝送する段階；
（Ｓ３０）上記ナビゲーション端末が伝送された上記広告を貯蔵する段階；
（Ｓ４０）使用者位置が広告主の上記広告地域内に位置するかを比較する段階；
（Ｓ５０）上記広告地域内に位置する場合、対応する広告を照会する段階；及び
（Ｓ６０）照会された広告を使用者に案内する段階；
を含むことを特徴とするナビゲーション動作中に実時間で位置基盤の広告を提供する広告提供方法。
【請求項８】
上記段階（Ｓ２０）は、
上記広告提供サーバーが、インターネット、ＤＭＢ、移動通信網を含む有無線ネットワークを通じてナビゲーション端末へ広告主の広告を伝送する段階であることを特徴とする請求項７に記載の広告提供方法。
【請求項９】
上記広告がＤＭＢ通信を通じて伝送される場合、同一のデータが周期的に繰り返して伝送されることを特徴とする請求項８に記載の広告提供方法。
【請求項１０】
上記ナビゲーション端末の使用者位置は、出発地検索、目的地検索、経路検索、実時間経路案内、地図移動を含むナビゲーション動作中に地図上に表示される現在位置であることを特徴とする請求項７に記載の広告提供方法。
【請求項１１】
ナビゲーション端末で案内される広告は、画面表示方式及び音声再生方式のうち少なくとも何れか一つ以上の方式を通じて使用者に案内されることを特徴とする請求項７に記載の広告提供方法。
【発明の詳細な説明】
【技術分野】
【０００１】
本発明は、有無線ネットワーク環境のナビゲーション広告システム及びそのナビゲーション広告方法であって、さらに詳しくは、広告主から特定の位置に基づいた広告情報を受注すればナビゲーション端末へ伝送して内部メモリに貯蔵させ、ナビゲーションが実行される過程で特定の位置に対応する広告を使用者に実時間で案内する広告提供システム及び広告提供方法に関する。
【背景技術】
【０００２】
ナビゲーションサービスは、ナビゲーション端末を通じて、経路案内、位置検索などの地図情報案内サービスを提供する。現在のナビゲーションサービスは、地図情報に含まれた位置地名、道路、建物などの位置情報を提供している。
【０００３】
しかし、地図情報に含まれる位置情報は多様な地域情報を含んでいるが、ナビゲーション端末の容量上これを全て含むことはできないという問題点がある。例えば、特定の位置で営業活動をする事業者がナビゲーション使用者を対象として該当する位置に基づいた広告を伝達しようとする場合、ナビゲーションの事業者を通じて地図情報に含ませればこそ情報の伝達が可能である。しかし、この広告情報は広告目的によっては期間に制限される特性があるため、地図情報に永久的に含ませるのは非効率的である。
【発明の開示】
【発明が解決しようとする課題】
【０００４】
本発明は上述した問題点を解決するためのものであって、広告主から位置及び期間が設定された広告情報を受注してナビゲーション端末を対象として実時間で伝送し、広告情報が貯蔵されたナビゲーション端末の動作中に特定の位置に対応する広告が存在する場合、これを使用者に実時間で案内することを目的とする。
【課題を解決するための手段】
【０００５】
上述したような目的を果たすための本発明のナビゲーション動作中に実時間で位置基盤の広告を提供する広告提供システムによれば、有無線ネットワーク環境で広告主から位置基盤の広告を提供されてナビゲーション使用者に伝送し、地図上の使用者位置が広告主が登録した位置に対応すれば、上記位置の該当する広告を使用者に実時間で案内する広告提供システムにおいて、広告主端末から広告地域及び広告期間を含む広告情報を伝送されＤＢに貯蔵する手段；貯蔵された上記広告をナビゲーション端末使用者を対象として伝送する手段；上記ナビゲーション端末が伝送された上記広告を貯蔵する手段；使用者位置が広告主の上記広告地域内に位置するかを比較する手段；上記広告地域内に位置する場合、対応する広告を照会する手段；及び照会された広告を使用者に案内する手段を含むことを特徴とする。
【０００６】
本発明の望ましい特徴によれば、上記広告提供システムは、広告主端末から広告登録申請を伝送されて貯蔵し、貯蔵された広告情報をナビゲーション端末へ伝送する広告提供サーバー；及び上記広告提供サーバーから伝送された広告情報を貯蔵し、画面上に表示される現在位置を実時間で比較して、広告地域に対応する場合に該当する広告を案内するナビゲーション端末を含んで有無線ネットワークを用いたサーバークライアント環境で構築されることを特徴とする。
【０００７】
ひいては、上記広告主端末が登録した広告は、インターネット、ＤＭＢ、移動通信網を含む有無線ネットワークを通じてナビゲーション端末に伝送されることを特徴とする。
【０００８】
一方、本発明のナビゲーション動作中に実時間で位置基盤の広告を提供する広告提供方法によれば、有無線ネットワーク環境で広告主から位置基盤の広告を提供されてナビゲーション使用者に伝送し、地図上の使用者位置が広告主が登録した位置に対応すれば、上記位置の該当する広告を使用者に実時間で案内する広告提供方法において、（Ｓ１０）広告提供サーバーが広告主から広告地域及び広告期間を含む広告情報を伝送されＤＢに貯蔵する段階；（Ｓ２０）上記広告提供サーバーが貯蔵された上記広告を使用者のナビゲーション端末へ伝送する段階；（Ｓ３０）上記ナビゲーション端末が伝送された上記広告を貯蔵する段階；（Ｓ４０）使用者位置が広告主の上記広告地域内に位置するかを比較する段階；（Ｓ５０）上記広告地域内に位置する場合、対応する広告を照会する段階；及び（Ｓ６０）照会された広告を使用者に案内する段階を含むことを特徴とする。
【発明の効果】
【０００９】
本発明によるナビゲーション動作中に実時間で位置基盤の広告を提供する広告提供システム及びその広告提供方法は、広告主から特定の地域でのみ広告される広告を登録されてナビゲーション端末使用者を対象として伝送し、使用者がナビゲーション動作中に該当する広告地域に位置する場合その広告を案内する効果がある。
【発明を実施するための最良の形態】
【００１０】
以下、添付図面を参照しながら本発明の望ましい一実施例の構成を詳しく説明する。
【００１１】
本明細書に添付される下記の図面は本発明の望ましい実施例を例示するものであって、発明の詳細な説明とともに本発明の技術思想をさらに理解させる役割を果たすものであるため、本発明はそのような図面に記載された事項にのみ限定されて解釈されてはいけない。
【００１２】
<１。システム構成>
図１は、本発明によるナビゲーション広告システム１の概略的なブロックを示す。
【００１３】
本発明によるナビゲーション広告システム１は、広告主から広告を登録されて使用者に伝達するための構成であって、広告主から広告登録を申請される広告要請受信手段２１、及び有無線ネットワークを用いて登録された広告情報をナビゲーション使用者を対象として伝送する広告伝送手段２２を含む。そして、使用者がナビゲーション案内を受ける過程において特定の位置に対応する広告を提供されるための構成であって、有無線ネットワークを通じて伝送される広告を受信する広告受信手段３１、使用者位置が広告地域に属するかを実時間で比較する使用者位置比較手段３２、広告地域に属する場合該当する広告を照会する広告照会手段３３及び多様な検索や分類を通じて照会された広告を使用者に案内する広告案内手段３４を含む。
【００１４】
上記広告要請受信手段２１は、広告主から有無線ネットワークを通じて広告地域及び広告期間を含む広告情報を受信する。受信された広告が使用者に案内されるためには、ナビゲーションの座標位置が広告地域内に存在し広告日時と一致しなければならない。広告地域は領域情報であり得、特定地点情報でもあり得る。同一の広告地域には少なくとも一つ以上の広告が対応する。また、広告期間は時間単位の情報を含んでおり広告主は特定日付けと時間までも指定することができる。サービス政策上、事業者は広告主から広告データ量、広告期間別で料金を算定して有料サービスを条件にして広告を受注することができる。
【００１５】
上記広告伝送手段２２は、広告主が登録した広告をナビゲーション使用者を対象として伝送する。伝送される広告は、インターネット、ＤＭＢ、移動通信網のような有無線ネットワークを通じて使用者の端末に伝送される。ここで、使用者端末（以下、「ナビゲーション端末」と表記する）は、移動通信端末、専用ナビゲーション、ＰＭＰ、ノートブック、ＰＣなどのようにナビゲーションプログラムが実行（地図上での使用者の位置表示実行）される全ての端末を含む概念である。
【００１６】
上記広告受信手段３１は、有無線ネットワークを通じて広告主の広告を受信しこれを貯蔵する。勿論、受信された広告情報は広告地域及び広告期間を含んでいる。
【００１７】
上記使用者位置比較手段３２は、使用者端末でナビゲーション動作中のとき、使用者の位置（ＧＰＳ座標または地図座標）と思われる現在位置（以下、「使用者位置」と表記する）が広告主が登録した広告地域に属するかを判断する。例えば、現在位置と広告位置との距離を演算して誤差範囲以内にある場合、広告地域に属すると判断する。または、現在位置の座標と広告地域の座標（スクエア座標）とを比較して現在位置が広告地域内にあるかを判断する。
【００１８】
上記広告照会手段３３は、位置比較の結果にしたがって使用者位置が広告地域内に位置すると判断される場合、対応する少なくとも一つ以上の広告を照会する。
【００１９】
上記広告案内手段３４は、照会された個別広告を使用者端末のスピーカー及び画面を用いて使用者に案内する。もし、複数個の広告が検索される場合、順番に一つずつ案内される。
【００２０】
<２。方法構成>
本発明によるナビゲーション動作中に実時間で位置基盤の広告を提供する広告提供方法は、上述した広告提供システム１の構築を通じて望ましく実現することができる。
【００２１】
以下、図２ないし図４を参照しながら本発明によるナビゲーション広告提供方法の詳細な過程を説明する。図２は、広告提供方法の全体の手順図であり、図３は、広告提供システム１の一実施例によるＤＭＢ放送を用いて広告を伝達する構成図であり、図４は、ナビゲーション端末の実施例による画面の例示図である。
【００２２】
広告主端末４は、広告提供サーバー２のホームページに接続して広告登録を選択した後、案内に従って広告ファイルを登録し、広告地域及び広告期間を設定する。広告提供サーバー２の広告要請受信手段２１は、有無線ネットワークを通じて伝送された広告情報を広告ＤＢ２１０に貯蔵する（Ｓ１０）。サービス政策上、広告主が広告を登録するためには広告提供サーバー２のホームページに会員加入が要求されることもあり、また広告費の決済が前提されることもある。広告伝送手段２２は、広告ＤＢ２１０に登録された少なくとも一つ以上の広告を照会して有無線ネットワークを通じてナビゲーション端末３へ伝送する（Ｓ２０）。
【００２３】
図３を参照すれば、広告提供サーバー２がナビゲーション端末３へ広告を伝送するための通信経路としてＤＭＢ放送網を用いる。このとき、広告提供サーバー２がＤＭＢ事業者によって運営される場合、自体プログラム内に広告情報を挿入して伝送することができる。もし、ＤＭＢ事業者ではない場合には、外部ＤＭＢ放送事業者に伝送対象の広告ファイルを伝送して放送を依頼しなければならない。ＤＭＢ放送の場合所定時間ごとに周期的に広告情報が繰り返して放送される。したがって、広告主の登録広告は実時間でナビゲーション端末３へ伝送することができる。本発明で広告をナビゲーション端末３へ伝送するには、上述したＤＭＢ通信網だけでなく、有無線インターネット網、移動通信網などのような多様な有無線ネットワークを用いることができる。
【００２４】
ナビゲーション端末３の広告受信手段３１は、有無線ネットワークを通じて広告を受信し、受信された情報を広告ＤＢ３１０に貯蔵する（Ｓ３０）。広告ＤＢ３１０は使用者の現在位置と比較される広告位置データ、広告が表示される日時データ及び画面に表示される広告データを貯蔵する。図３においては、ＤＭＢ放送受信が可能なナビゲーション端末３がアンテナ部３０１を通じてＤＭＢ放送データを受信し広告受信手段３１が広告情報を抽出する例を示す。一方、ナビゲーション端末３は、広告ＤＢ３１０にデータを貯蔵すると共に、個別広告の該当する広告地域にマッピングされる地図上の領域に所定の表示をすることも可能である。すなわち、実際の地図データには表示されなかったが画面に表示されるときには広告情報データによって地図データの該当する広告地域に特定の表識をしてもよい。
【００２５】
使用者はナビゲーション端末３を実行して、出発地検索、目的地検索、経路検索、実時間経路案内、地図移動を含む多様な操作をし、このとき使用者位置比較手段３２は地図上の位置を使用者位置と見なして広告地域と実時間で比較する（Ｓ４０）。例えば、実時間経路案内の場合には使用者位置は実際の使用者の位置であるが、目的地検索（例：名称検索、住所検索、電話番号検索など）を通じて目的地が地図上に表示される場合には、実際の使用者の位置ではないが使用者位置と見なして目的地が広告地域と比較される。
【００２６】
比較した結果、使用者位置が広告地域に該当する場合、広告ＤＢ３１０から対応する少なくとも一つ以上の広告を照会する（Ｓ５０）。
【００２７】
照会された広告は広告案内手段３４を通じてスピーカー部３０２またはディスプレイ部３０３を通じて使用者に案内される（Ｓ６０）。但し、照会された広告に対応する広告期間の時間情報が現在の時間情報と一致しない場合その広告は案内されない。
【００２８】
図４を参照すれば、使用者が実時間経路案内を受ける途中でナビゲーションの位置１００が特定の広告地域に進入すれば該当する広告主の広告がポップアップウィンドウ１０１で表示される。使用者がナビゲーション端末３の動作モードを映像モードで設定した場合、スピーカー部３０２の出力は遮断されディスプレイ部３０３を通じて画面にのみ表示される。ここで、ポップアップウィンドウ１０１は説明の便宜上一例として用いるものであって、本発明の広告インターフェースの形態を制限するものではない。広告インターフェースの形態は広告主の設定によって、音声ファイルの案内、地図上での広告表示など多様な形態が可能である。一方、本発明においては地図上の特定の地名位置とは関係のない広告の提供も可能である。例えば、実際の営業店をＡ地域に置いている広告主が、広告地域Ｂを対象とする広告（Ｂ地域使用者を対象とするターゲット広告）を登録して広告することも可能である。
【００２９】
上述したように、本発明によるナビゲーション動作中に実時間で位置基盤の広告を提供する広告提供システム及びその広告提供方法の実施例が構成される。本発明は、たとえ限定された実施例と図面とによって説明されたが、本発明はこれによって限定されず、本発明が属する技術分野において通常の知識を持つ者により本発明の技術思想と特許請求範囲の均等範囲内で多様な修正及び変形が可能なのは言うまでもない。
【図面の簡単な説明】
【００３０】
【図１】本発明によるナビゲーション広告システムの概略的なブロック図である。
【図２】本発明によるナビゲーション広告方法の全体の順序図である。
【図３】本発明の一実施例によるＤＭＢ通信を用いた広告システムの構成図である。
【図４】本発明の一実施例によるナビゲーション端末の広告表示例示図である。
【符号の説明】
【００３１】
１  システム
２  広告提供サーバー
３  ナビゲーション端末
４  広告主端末
２１  広告要請受信手段
２２  広告伝送手段
３１  広告受信手段
３２  使用者位置比較手段
３３  広告照会手段
３４  広告案内手段
【図１】
2008276726.tif 000003
【図２】
2008276726.tif 000004
【図３】
2008276726.tif 000005
【図４】
2008276726.tif 000006